(57)【要約】      （修正有）【課題】脚の折畳みや引き起こし操作の際に、無理な力が支持部材の一方に加わっても、脚の取付箇所の損壊を防止でき、また脚の取付作業を簡単、迅速にできる折畳み脚付きテーブルを提供する。【解決手段】天板１の両側の裏面に、脚２を蝶番３で内方に折畳み自在に設ける。この脚２を、平行一対状の支持部材２ａと、この支持部材２ａの間隔を保持するため支持部材２ａの上端部の間に挟み込む間隔保持材２ｂと、支持部材２ａの下端を連結するよう支持部材２ａに横架して両端を支持部材２ａの外側に突き出している接地材２ｃとで形成する。蝶番３を、平行一対状の支持部材２ａに横架し、蝶番３の一方の取付片３ａを天板１の裏面に、他方の取付片３ｂを支持部材２ａにネジ止めする。【選択図】図１
0003178416.tif 000002
【実用新案登録請求の範囲】
【請求項１】
天板の両側の裏面に、脚が蝶番で内方に折畳み自在に設けられ、この脚が、平行一対状の支持部材と、この支持部材の間隔を保持するため支持部材の上端部の間に挟み込まれている間隔保持材と、支持部材の下端を連結するよう支持部材に横架されて両端が支持部材の外側に突き出されている接地材とで形成されている折畳み脚付きテーブルであって、上記の蝶番が、平行一対状の支持部材に横架され、蝶番の一方の取付片が天板の裏面に、他方の取付片が支持部材にネジ止めされていることを特徴とする折畳み脚付きテーブル。
【請求項２】
請求項1記載の折畳み脚付きテーブルであって、蝶番の他方の取付片が、一方の取付片との枢着軸に沿って直線状に延びる帯板部と、この帯板部の両端が同じ側に鉤形に屈曲されている屈曲片部とで形成され、この各屈曲片部が、その内側に配置される支持部材の外側面に夫々ネジ止めされていることを特徴とする折畳み脚付きテーブル。
【請求項３】
請求項２記載の折畳み脚付きテーブルであって、蝶番の一方の取付片の長さが、他方の取付片の帯板部と同一に形成されていることを特徴とする折畳み脚付きテーブル。
【考案の詳細な説明】
【技術分野】
【０００１】
本考案は、折畳み脚付きテーブルに関し、更に詳しくは天板の裏面に設けた脚を、不使用時は折畳むことができるよう形成した折畳み脚付きテーブルに関するものである。
【背景技術】
【０００２】
従来、この種のテーブルとしては、例えば特許文献１に記載されているものがある。
この従来品は、天板の両側の裏面に、脚が蝶番で内方に折畳み自在に設けられ、脚が、平行一対状の支持部材と、この支持部材の間隔を保持するため支持部材の上端部の間に挟み込まれている間隔保持材と、支持部材の下端を連結するよう支持部材に横架されて両端が支持部材の外側に突き出されている接地材とで形成されていた。また脚を天板に取り付けるための蝶番は、平行一対状の支持部材に、個別に設けられていた。
【０００３】
而して、平行一対状の支持部材で脚を形成しているこの種のテーブルは、脚を回動操作するとき、一方の支持部材を持って回動操作するのが通例である。
従って、従来品は、一方の支持部材の取付箇所に無理な力が加わり易かったから、従来品を使用すると、この取付箇所が損壊するおそれがあり、耐久性に問題があった。
【０００４】
また従来品は、上記の通り、脚を天板に取り付ける際に、一対の支持部材ごと蝶番で取り付けていた。
従って、従来品は、蝶番の高さや向きの調節に手間どり、この種の作業に煩わしさを伴ったから、従来品によると、脚の取付作業に手間暇がかかる、という問題点があった。
【先行技術文献】
【特許文献】
【０００５】
【特許文献１】実用新案登録第３１６０６２５号公報
【考案の概要】
【考案が解決しようとする課題】
【０００６】
本考案は、このような従来品の問題点に鑑み、提案されたものである。
従って本考案の解決しようとする技術的課題は、脚の折畳みや引き起こし操作の際に、無理な力が支持部材の一方に加わっても、脚の取付箇所の損壊を防止でき、また脚の取付作業を簡単、迅速にできるよう形成した折畳み脚付きテーブルを提供することにある。
【課題を解決するための手段】
【０００７】
本考案は、上記の課題を解決するため、次のような技術的手段を採る。
即ち、本考案は、図１等に示されるように、天板１の両側の裏面に、脚２が蝶番３で内方に折畳み自在に設けられ、この脚２が、平行一対状の支持部材２ａと、この支持部材２ａの間隔を保持するため支持部材２ａの上端部の間に挟み込まれている間隔保持材２ｂと、支持部材２ａの下端を連結するよう支持部材２ａに横架されて両端が支持部材２ａの外側に突き出されている接地材２ｃとで形成されている折畳み脚付きテーブルであって、上記の蝶番３が、平行一対状の支持部材２ａに横架され、蝶番３の一方の取付片３ａが天板１の裏面に、他方の取付片３ｂが支持部材２ａにネジ止めされていることを特徴とする（請求項１）。
【０００８】
本考案の場合、脚２の長さ（高さ）は自由である。従って、本考案品は、例えば座卓として利用できるよう、脚２が短く形成されているのでも良い。
【０００９】
而して、本考案は、蝶番３の他方の取付片３ｂが、一方の取付片３ａとの枢着軸に沿って直線状に延びる帯板部３ｂ１と、この帯板部３ｂ１の両端が同じ側に鉤形に屈曲されている屈曲片部３ｂ２とで形成され、この各屈曲片部３ｂ２が、その内側に配置される支持部材２ａの外側面に夫々ネジ止めされているのが好ましい（請求項２）。
【００１０】
なぜならこれによると、蝶番３と支持部材２ａとの取付強度が高くなり、一層、耐久性を向上できるからである。またこの場合は、他方の取付片３ｂを左右一対の支持部材２ａに正面から跨るように嵌め付けて支持部材２ａに蝶番３を取り付けでき、支持部材２ａの上端部の連結を、蝶番３で強固に図ることができるからである。
【００１１】
また本考案は、蝶番３の一方の取付片３ａの長さが、他方の取付片３ｂの帯板部３ｂ１と同一に形成されているのが好ましい（請求項３）。
なぜならこれによると、一方の取付片３ａを他方の取付片３ｂの帯板部３ｂ１に重ね合わせ、長さを同じにして収納、保管でき、取り扱いを容易化できるからである。
【考案の効果】
【００１２】
本考案は、このように天板の両側の裏面に、脚が蝶番で内方に折畳み自在に設けられ、この脚が、平行一対状の支持部材と、この支持部材の間隔を保持するため支持部材の上端部の間に挟み込まれている間隔保持材と、支持部材の下端を連結するよう支持部材に横架されて両端が支持部材の外側に突き出されている接地材とで形成されている折畳み脚付きテーブルであって、上記の蝶番が、平行一対状の支持部材に横架され、蝶番の一方の取付片が天板の裏面に、他方の取付片が支持部材にネジ止めされているものである。
【００１３】
従って本考案によれば、脚を天板にしっかりと堅固に固定でき、脚の折畳みや引き起こし操作時に、支持部材の一方に無理な力が加わっても、脚の取り付け箇所が損壊することを防止できる。
【００１４】
また本考案は、脚を天板に取り付ける際、従来品のような各支持部材ごと蝶番で取り付ける、という作業を一掃できる。
従って、本考案によれば、蝶番の高さ調節や位置決めを楽にでき、脚を天板に簡単、迅速に取り付けることができる。
【図面の簡単な説明】
【００１５】
【図１】本考案のテーブルの好適な一実施形態を示し、Ａは正面図、Ｂは要部斜視図である。
【図２】同上テーブルの要部斜視図である。
【図３】同上テーブルの脚折畳み時の正面図である。
【図４】同上テーブルの要部底面図である。
【図５】図４のＶ−Ｖ線における要部断面図である。
【考案を実施するための形態】
【００１６】
以下、本考案を実施するための好適な一実施形態を、添付図面に従って説明する。
本考案のテーブルは、図１等に示されるように、天板１の両側の裏面に、脚２が蝶番３で内方に折畳み自在に設けられている。
【００１７】
脚２は、平行一対状の支持部材２ａと、この支持部材２ａの間隔を保持するため支持部材２ａの上端部の間に挟み込まれている間隔保持材２ｂと、支持部材２ａの下端を連結するよう支持部材２ａに横架されて両端が支持部材２ａの外側に突き出されている接地材２ｃとで形成されている。この実施形態の場合、支持部材２ａは、間隔が狭められ、接近状に配置されている。
【００１８】
上記の蝶番３は、図１等に示されるように、平行一対状の支持部材２ａに横架され、一方の取付片３ａが天板１の裏面に、他方の取付片３ｂが支持部材２ａにネジ止めされて設けられている。一方の取付片３ａと他方の取付片３ｂには、止めネジ４の差込孔５が適宜位置に複数形成されている。
【００１９】
この実施形態の場合、蝶番３の他方の取付片３ｂは、一方の取付片３ａとの枢着部３ｃに沿って直線状に延びる帯板部３ｂ１と、この帯板部３ｂ１の両端から同じ側に鉤形に屈曲されている屈曲片部３ｂ２とで形成されている。そして、この他方の取付片３ｂは、左右一対の支持部材２ａの上端部に正面から嵌め付けられ、帯板部３ｂ１は支持部材２ａの正面側に、屈曲片部３ｂ２は支持部材２ａの外側面にネジ止めされている。
なお、この実施形態の場合、蝶番３の一方の取付片３ａの長さは、他方の取付片３ｂの帯板部３ｂ１と同一に形成されている。
【００２０】
６（図１Ａ、図２等参照）は、脚２を天板１に固定するための脚固定装置である。この脚固定装置６は、天板１の裏面に枢着されている棒状材６ａと、この棒状材６ａの先端６ａ１側を上記の間隔保持材２ｂに天板１の下方から押し付けて脚２を天板１に固定するバネ６ｂとを備えて形成されている。棒状材６ａは、天板１の裏面にネジ止めされている取付部６ｃに横軸６ｄを介して枢着されている。
【００２１】
上記の棒状材６ａは、この実施形態では長板状に形成されている。またこの実施形態の本考案品は、図２、図５に示されるように、脚２の起立時に、棒状材６ａの先端６ａ１が係合する間隔保持材２ｂの下端箇所に、この箇所の強度が高くなるよう、断面コの字状の金属製のカバー７が嵌め込まれている。
【００２２】
棒状材６ａの先端６ａ１は、天板１の下方から間隔保持材２ｂの下端箇所に嵌まり込むよう、フック状に形成されている。またバネ６ｂは、棒状材６ａの先端６ａ１側を天板１の裏面側に、常時、牽引するよう、この実施形態では引っ張りコイルバネで形成されている。
【００２３】
また棒状材６ａの基端側は、脚２の固定状態を解除するための手押し操作部６ａ２に形成されている。この手押し操作部６ａ２は、この実施形態では掌で押して脚２の固定状態を解除し易くなるよう、扁平状に形成されている。
【００２４】
この実施形態の本考案は、上記の手押し操作部６ａ２をバネ６ｂの牽引力に抗して使用者が押圧することにより、棒状材６ａの先端６ａ１側が、枢着箇所としての横軸６ｄを中心に天板１の下方に回動して脚２の固定状態が解除されるものである。
【００２５】
次に、この実施形態の本考案品の作用を説明する。
先ず、図１Ａに示されるように脚２が起立した状態から、脚２を折畳む場合を説明する。
この場合は、棒状材６ａの手押し操作部６ａ２を、使用者は、例えば掌でバネ６ｂの牽引力に抗して天板１側に押し込む。
【００２６】
すると、棒状材６ａのフック状の先端６ａ１が、横軸６ｄを中心に天板１から離れるよう回動し、間隔保持材２ｂとの係合状態が解かれる。そこで使用者は、この状態で、脚２を内方に回して折畳み、天板１の下側に配置する（図３参照）。すると、棒状材６ａの先端６ａ１側が、間隔保持材２ｂを押圧し、脚２がバネ６ｂの復元力（牽引力）で天板１に固定される。
【００２７】
この場合、本考案品は、蝶番３の他方の取付片３ｂが平行一対状の支持部材２ａに横架され、一方の取付片３ａが天板１の裏面に支持部材２ａの形成間隔にわたって延ばされて取り付けられている。
従って、本考案品の場合は、脚２の取付状態が堅固であるから、これによれば、脚２を折畳む際、左右一対の支持部材２ａの一方に力が偏って加わっても、脚２の取付箇所を傷めることがない。
【００２８】
次に、折畳まれた状態の脚２を引き起こし、テーブルとして使用する場合の作用を説明する。
この場合は、使用者は、脚２をバネ６ｂの牽引力に抗して外側に引き起こす。すると、脚２は蝶番３を介して外側に回動し、引き起こすのに連れ、棒状材６ａの先端６ａ１側が間隔保持材２ｂによって天板１の裏面から押し離される。
【００２９】
この場合、脚２は、蝶番３の他方の取付片３ｂが一対の支持部材２ａに横架され、跨った状態で設けられている。従って、本考案品によれば、脚２を安定した状態で回動操作できる。
【００３０】
而して、脚２が引き起こされると、間隔保持材２ｂの下端箇所に、棒状材６ａのフック状の先端６ａ１がカバー７を介して嵌り込む。これにより、脚２は、バネ６ｂの復元力で固定される（図２参照）。
【００３１】
またこの場合、本考案品は、支持部材２ａの間隔が狭められ、間隔保持材２ｂが短く形成されている。従って、本考案品によると、バネ６ｂの復元力（牽引力）が支持部材２ａの上端に集中して効率良く伝わり、脚２をしっかりと堅固に固定できる。
【符号の説明】
【００３２】
１      天板
２      脚
２ａ    支持部材
２ｂ    間隔保持材
２ｃ    接地材
３      蝶番
３ａ    一方の取付片
３ｂ    他方の取付片
【図１】
0003178416.tif 000003
【図２】
0003178416.tif 000004
【図３】
0003178416.tif 000005
【図４】
0003178416.tif 000006
【図５】
0003178416.tif 000007